(57)【要約】【課題】設計の自由度が高く、可動接点と固定接点とを確実に接触させることができ、しかも操作フィールが良好なスイッチの提供。  【解決手段】操作部材６の移動に連動して可動接点端子５が押圧されて変形し、可動接点部４が固定接点部３ａと接触する位置と非接触にある位置との間で移動するようにしてなるスイッチ１において、モールドケース７の側壁部１１ａの内側に固定接点支持壁部１２を備え、固定接点支持壁部１２の内側面に固定接点部３ａを露出させ、可動接点端子５は、側壁部１１ａと可動接点支持壁部１２との間に配置される弾性可動部２１と、弾性可動部２１の一端より固定接点支持壁部１２の端部を迂回して固定接点支持壁部１２の固定接点部３ａ側に湾曲させた形状の湾曲部２２とを備え、湾曲部２２の先端側に配置された可動接点部４が固定接点支持壁部１２の内側で固定接点部３ａと接触するようにした。【選択図】図２
2013012371.tif 000002
【特許請求の範囲】
【請求項１】
平板状の基板部及び該基板部の側縁より立ち上げた形状の側壁部を有するモールドケースと、該モールドケース内に露出させた固定接点部を有する固定接点端子と、一方の端部が前記モールドケースに固定され、他方の端部に前記固定接点部と接触する可動接点部が形成されたバネ状の可動接点端子と、前記モールドケースに移動可能に支持された操作部材とを備え、前記操作部材の移動に連動して前記可動接点端子が押圧されて変形し、前記可動接点部が前記固定接点部と接触する位置と非接触にある位置との間で移動するようにしてなるスイッチにおいて、
前記モールドケースは、前記側壁部の内側に固定接点支持壁部を備え、該固定接点支持壁部の内側面に前記固定接点部を露出させ、
前記可動接点端子は、前記側壁部と可動接点支持壁部との間に配置される弾性可動部と、該弾性可動部の一端より前記固定接点支持壁部の端部を迂回して前記固定接点支持壁部の固定接点部側に湾曲させた形状の湾曲部とを備え、該湾曲部の先端側に配置された前記可動接点部が前記固定接点支持壁部の内側で前記固定接点部と接触するようにしたことを特徴としてなるスイッチ。
【請求項２】
前記固定接点支持壁部は、前記側壁部に沿った方向の固定接点部側を内向きに傾けた形状に形成されてなる請求項１に記載のスイッチ。
【請求項３】
前記操作部材は、前記基板部に回動可能に支持された回動レバーである請求項１又は２に記載のスイッチ。
【発明の詳細な説明】
【技術分野】
【０００１】
本発明は、各種電子機器における記録媒体の出し入れ等を検出するための検出用スイッチやリセット用スイッチ等として使用されるレバースイッチ等のスイッチに関する。
【背景技術】
【０００２】
従来、携帯電話機等の携帯端末機器やポータブルオーディオプレーヤー、デジタルカメラ等の電子機器においては、ＩＣカードやＣＤ等の記録媒体の挿入状態を検出する手段として、或いはリセット（初期化動作）用スイッチとして、回動レバーの回動動作に伴いオン・オフ動作がなされるレバースイッチが用いられている。
【０００３】
このようなレバースイッチには、例えば、図５に示す如き構造のものが知られており（例えば特許文献１）、中空箱状のモールドケース１００と、モールドケース１００の側壁部内面に露出した固定接点１０１を有する固定接点端子と、モールドケース１００内に収容されたばね状の可動接点端子１０２と、モールドケース１００に回動可能に支持された回動レバー１０３とを備えている。
【０００４】
可動接点端子１０２は、一方の端部がモールドケース１００にコモン端子１０５と接続した状態で固定され、回動レバー１０３を図中一点鎖線で示す押し込み位置まで回動させることにより回動レバー１０３に押圧されて固定部１０２ａを基点に弾性変形し、それにより可動接点１０４が側壁部に沿って固定接点１０１と接触する位置に移動し、スイッチがオン状態となる。
【０００５】
一方、回動レバー１０３に作用する力を解除すると、可動接点端子１０２の弾性力により回動レバー１０３を図中実線で示す原点位置に押し戻し、両接点１０１，１０４が非接触にある位置に移動することによりスイッチがオフ状態となる。
【先行技術文献】
【特許文献】
【０００６】
【特許文献１】特開２００７−２２０５１７号公報
【発明の概要】
【発明が解決しようとする課題】
【０００７】
しかしながら、上述の如き従来の技術では、構造上の観点から同一の側壁部に固定接点部と可動接点端子の固定部とを設けることができない等の制約が生じ、そのことから可動接点端子の形状や動作方向が限定され、設計の自由度が低いという問題があった。
【０００８】
また、このようなレバースイッチでは、可動接点端子の板バネとして機能する部分の長さが短くなると小型化の実現に有利となる一方、板バネとして機能する部分が短いほどその分の負荷が大きく疲労し易いという問題があり、寿命の低下を招くおそれがあった。
【０００９】
更には、レバー動作による可動接点部の移動に際しては、可動接点部を固定接点部と確実に接触させることが困難であり、レバーによる押圧力が可動接点部の移動方向に分散されてしまい固定接点部と可動接点部との接触圧が十分に得られない等のおそれがあった。
【００１０】
そこで、本発明は、このような従来の問題に鑑み、設計の自由度が高く、可動接点部と固定接点部とを確実に接触させることができ、しかも操作フィールが良好なスイッチの提供を目的としてなされたものである。
【課題を解決するための手段】
【００１１】
上述の如き従来の問題を解決し、所期の目的を達成するための請求項1に記載の発明の特徴は、平板状の基板部及び該基板部の側縁より立ち上げた形状の側壁部を有するモールドケースと、該モールドケース内に露出させた固定接点部を有する固定接点端子と、一方の端部が前記モールドケースに固定され、他方の端部に前記固定接点部と接触する可動接点部が形成されたバネ状の可動接点端子と、前記モールドケースに移動可能に支持された操作部材とを備え、前記操作部材の移動に連動して前記可動接点端子が変形し、前記可動接点部が前記固定接点部と接触する位置と非接触にある位置との間で移動するようにしてなるスイッチにおいて、前記モールドケースは、前記側壁部の内側に固定接点支持壁部を備え、該固定接点支持壁部の内側面に前記固定接点部を露出させ、前記可動接点端子は、前記側壁部と可動接点支持壁部との間に配置される弾性可動部と、該弾性可動部の一端より前記固定接点支持壁部の端部を迂回して前記固定接点支持壁部の固定接点部側に湾曲させた形状の湾曲部とを備え、該湾曲部の先端側に配置された前記可動接点部が前記固定接点支持壁部の内側で前記固定接点部と接触するようにしたことにある。
【００１２】
請求項２に記載の発明の特徴は、請求項１の構成に加え、前記固定接点支持壁部は、前記側壁部に沿った方向の固定接点部側を内向きに傾けた形状に形成されてなることにある。
【００１３】
請求項３に記載の発明の特徴は、請求項１又は２の構成に加え、前記操作部材は、前記基板部に回動可能に支持された回動レバーであることにある。
【発明の効果】
【００１４】
本発明に係るスイッチは、上述したように、平板状の基板部及び該基板部の側縁より立ち上げた形状の側壁部を有するモールドケースと、該モールドケース内に露出させた固定接点部を有する固定接点端子と、一方の端部が前記モールドケースに固定され、他方の端部に前記固定接点部と接触する可動接点部が形成されたバネ状の可動接点端子と、前記モールドケースに移動可能に支持された操作部材とを備え、前記操作部材の移動に連動して前記可動接点端子が変形し、前記可動接点部が前記固定接点部と接触する位置と非接触にある位置との間で移動するようにしてなるスイッチにおいて、前記モールドケースは、前記側壁部の内側に固定接点支持壁部を備え、該固定接点支持壁部の内側面に前記固定接点部を露出させ、前記可動接点端子は、前記側壁部と可動接点支持壁部との間に配置される弾性可動部と、該弾性可動部の一端より前記固定接点支持壁部の端部を迂回して前記固定接点支持壁部の固定接点部側に湾曲させた形状の湾曲部とを備え、該湾曲部の先端側に配置された前記可動接点部が前記固定接点支持壁部の内側で前記固定接点部と接触するようにしたことにより、可動接点端子の弾性変形可能な部分の長さを長く取ることができ、疲労が軽減され長寿命化が図れ、可動接点端子の形状等における設計の自由度が増す。
【００１５】
また、本発明において、前記固定接点支持壁部は、前記側壁部に沿った方向の固定接点部側を内向きに傾けた形状に形成されてなることにより、操作部材による押圧力が分散し難く、両接点間で十分な接触圧が得られるとともに、良好な操作感覚が得られる。
【００１６】
更に、本発明において、前記操作部材は、前記基板部に回動可能に支持された回動レバーであることにより、押し込み方向の力を回転方向の力に変換し、好適に可動接点端子を変形させることができる。
【図面の簡単な説明】
【００１７】
【図１】本発明に係るスイッチの一例を示す平面図である。
【図２】同上のシールドカバーを取り外した状態を示す平面図である。
【図３】同上のスイッチの動作状態を示すシールドカバーを取り外した状態の平面図である。
【図４】図２中の可動接点端子を示す平面図である。
【図５】従来のレバースイッチの一例の概略を示す断面図である。
【発明を実施するための形態】
【００１８】
次に、本発明に係るスイッチの実施の態様を図１〜図４に示した実施例に基づいて説明する。尚、図中符号１はレバー式のスイッチである。
【００１９】
このスイッチ１は、中空箱状のハウジング２と、ハウジング２内に露出させた固定接点部３ａを有する固定接点端子３と、一端をハウジング２に固定させ、他端に固定接点部３ａと接触する可動接点部４が形成された板バネ状の可動接点端子５と、ハウジング２に回動可能に支持された操作部材としての回動レバー６とを備え、この回動レバー６が図１中実線で示す所定の原点位置と図１中一点鎖線で示す所定の押し込み位置との間で回動動作することによりオン・オフ状態の切り替えがなされるようになっている。
【００２０】
ハウジング２は、絶縁樹脂製のモールドケース７と、金属材製のシールドカバー８とを組み込んで中空箱状に形成されている。
【００２１】
モールドケース７は、図２、図３に示すように、平板状の基板部１０と、基板部１０側縁より立ち上げた形状の各側壁部１１ａ，１１ｂ，１１ｃとを備えて基板部１０と対向する側が開口して形成され、この基板部１０と対向する開口面部がシールドカバー８により閉鎖されるようになっている。
【００２２】
また、このモールドケース７には、一方の側壁部１１ａの内側に固定接点支持壁部１２が形成されている。
【００２３】
固定接点支持壁部１２は、基板部１０の内側面より垂直方向に立ち上げた壁体が側壁部１１ａに沿った方向で連続した形状に形成され、その内側面、即ち他方の側壁部１１ｂ側の回動レバー６とは反対側の端部に固定接点部３ａを露出させている。
【００２４】
また、固定接点支持壁部１２は、側壁部１１ａに沿った方向の固定接点部３ａ側、即ち先端側を内向き、即ち他方の側壁部１１ｂ側に傾けた形状に形成されている。
【００２５】
固定接点端子３は、平板状の固定接点部３ａと、接続基板に形成された接続パターンに半田付け等により接続される接続端子部３ｂとを一体に備え、固定接点部３ａ及び接続基板３ｂを露出させた状態でインサート成型によりモールドケース７と一体化されている。  
【００２６】
一方、側壁部１１ａの回動レバー側端部には、可動接点端子５の一方の端部が圧入されて固定される端子圧入部１３が形成され、この端子圧入部１３の内側面には、インサート成型によりモールドケース７と一体化したコモン端子１４の接点部が露出されており、この端子圧入部１３に圧入された可動接点端子５の支持固定部２０がコモン端子１４の接点部と常時接続した状態で固定されるようになっている。
【００２７】
可動接点端子５は、図４に示すように、弾性を有する導電性金属板材を打ち抜き・折り曲げ加工することにより薄板ばね状に形成され、弾性可動部２１、湾曲部２２、被操作部２３、接点支持部２４及び可動接点部４を一体に備え、一方の端部に形成された支持固定部２０がモールドケース７に固定され、この支持固定部２０を基点に弾性変形するようになっている。
【００２８】
弾性可動部２１は、細長板状に形成され、その一方の端部に端子圧入部１３に圧入される支持固定部２０が形成され、この支持固定部２０を基点に板厚方向で回動可能な状態で側壁部１１ａと固定接点支持壁部１２との間に配置されるようになっている。
【００２９】
湾曲部２２は、弾性可動部２１の端部より円弧状に曲げた形状の迂回部片２５と、迂回部片２５の他端側より他方の側壁部１１側に向けて斜めに延長された斜め延長部片２６と、斜め延長部片２６の先端より円弧状に曲げた形状の折り返し部片２７とをもって構成され、弾性可動部２１の支持固定部２０とは反対側の端部より固定接点支持壁部１２の端部を迂回して固定接点支持壁部１２の内側、即ち他方の側壁部１１ｂ側に向けて湾曲した形状に形成されている。
【００３０】
被操作部２３は、湾曲部２２の先端側、即ち折り返し部片２７の先端側より回動レバー６側に向けて斜め方向に延長された形状に形成され、この外側面が回動レバー６と互いに常時弾性接触した状態にある。
【００３１】
接点支持部２４は、被操作部２３の先端側より固定接点支持壁部１２側に向けて折り曲げた形状に形成され、その先端部に円弧状に形成された可動接点部４が形成されている。
【００３２】
この可動接点端子５は、弾性可動部２１、湾曲部２２、被操作部２３及び接点支持部２４をもって「の」字状に形成され、回動レバー６により被操作部２３の外側面を押圧して可動接点部４を固定接点支持壁部１２の内側面に沿って移動させ固定接点部３ａと接触する位置と非接触にある位置との間で移動させるようになっている。
【００３３】
このように構成された可動接点端子５は、弾性可動部２１を側壁部１１ａと固定接点支持壁部１２との間に配置させる構成としたことにより、ハウジング内周方向で重複配置とした部分２１、２４を有する形状とすることができ、そのことにより弾性可動部２１の長さ分だけ弾性変形可能な部分のスパンを長くすることができる。
【００３４】
回動レバー６は、モールドケース７の基板部１０に回動軸３０を介して回動可能に支持された回動部３１と、回動部３１の外縁部より回動軸３０と直交する方向に向けた棒状の操作部３２とを一体に備え、この操作部３２が回動軸３０を中心にハウジング２の一方の側縁に対し斜め方向に向けた所定の原点位置と、側縁に対し水平方向に向けた押し込み位置との間で回動するようになっている。尚、図中符号４０は、原点位置で回動レバー６の引き起こし方向への移動を規制するストッパー部である。
【００３５】
また、回動部３１の外縁には、操作部３２と回動方向で間隔を置いた位置に押圧部３３を一体に備え、この押圧部３３が可動接点端子５の被操作部２３に常時当接し、原点位置において、回動レバー６を引き起こし方向に付勢している。
【００３６】
一方、操作部３２が押し込まれて操作レバー６が原点位置より押し込み方向に回動した際には、図３に示すように、押圧部３３が被操作部２３を固定接点支持壁部１２側に向けて押圧し、それにより可動接点端子５が変形し、それに伴い可動接点部４が固定接点支持壁部１２の内側面に沿って移動して固定接点部３と接触するようになっている。
【００３７】
このとき、固定接点支持壁部１２は、側壁部１１に沿った方向の固定接点部３ａ側を内向きに傾けた形状に形成されているので、回動レバー６による押圧力が可動接点部４の移動方向で分散し難く、固定接点支持壁部１２からの反力が可動接点端子５を介して好適に回動レバー６に伝達されるようになっている。
【００３８】
尚、上述の実施例では、操作部材として回動式のレバー６を用いた例について説明したが、操作部材は、スライド移動により可動接点端子５を押圧するようにした構成のもの等であってもよい。
【００３９】
また、上述の実施例では、弾性可動部を可動接点端子５の一方の端部に配置した例について説明したが、弾性可動部を可動接点端子の途中部分に配置するようにしたものであってもよい。
【００４０】
更に、上述の実施例では、可動接点端子の一端を固定した側壁部１１ａの内側に固定接点支持壁部を設けた例について説明したが、可動接点端子の一端を固定した側壁部１１ａとは別の側壁部１１ｂ、１１ｃの内側に固定接点支持壁部を配置するようにしてもよい。
【符号の説明】
【００４１】
１  スイッチ
２  ハウジング
３  固定接点端子
４  可動接点部
５  可動接点端子
６  回動レバー
７  モールドケース
８  シールドカバー
１０  基板部
１１  側壁部
１２  固定接点支持壁部
１３  端子圧入部
１４  コモン端子
２０  支持固定部
２１  弾性可動部
２２  湾曲部
２３  被操作部
２４  接点支持部
２５  迂回部片
２６  斜め延長部
２７  折り返し部
３０  回動軸
３１  回動部
３２  操作部
３３  押圧部
【図１】
2013012371.tif 000003
【図２】
2013012371.tif 000004
【図３】
2013012371.tif 000005
【図４】
2013012371.tif 000006
【図５】
2013012371.tif 000007